(57)【要約】【課題】骨盤安定性を向上させることができる臀部保護ベルト及び臀部保護ベルト付き衣類を提供する。【解決手段】臀部保護ベルト１は、胴固定部１０、右大腿固定部２０、左大腿固定部３０、第１ベルト４０、第２ベルト５０、及び、第３ベルト６０を備えている。第１ベルト４０は、仙骨被覆部４１と、仙骨被覆部４１の下側から伸長され、右大腿固定部２０又は左大腿固定部３０の内側に固定される右内腿固定部４２及び左内腿固定部４３とを有している。第２ベルト５０及び第３ベルト６０は、一端部が右側臀部又は左側臀部の下側から脇を通り前側腹部まで伸長されて胴固定部１０に固定され、他端部が右側臀部又は左側臀部から股下を通り左大腿外側又は右大腿外側まで伸長されて左大腿固定部３０又は右大腿固定部２０に固定されている。【選択図】図１
2015142672.tif 000002
【特許請求の範囲】
【請求項１】
胴回りに固定される胴固定部と、右大腿回りに固定される右大腿固定部と、左大腿回りに固定される左大腿固定部と、第１ベルトと、第２ベルトと、第３ベルトを備え、
前記第１ベルトは、一端部が前記胴固定部に固定され、仙骨を覆う仙骨被覆部と、この仙骨被覆部の下側から伸長され、前記右大腿固定部の内側に固定される右内腿固定部と、前記仙骨被覆部の下側から伸長され、前記左大腿固定部の内側に固定される左内腿固定部とを有し、
前記第２ベルトは、一端部が右側臀部を包むように右側臀部の下側から脇を通り、前側腹部に伸長されて前記胴固定部に固定され、他端部が右側臀部から股下を通り、左大腿前側を通って、左大腿外側まで伸長されて前記左大腿固定部に固定され、
前記第３ベルトは、一端部が左側臀部を包むように左側臀部の下側から脇を通り、前側腹部に伸長されて前記胴固定部に固定され、他端部が左側臀部から股下を通り、右大腿前側を通って、右大腿外側まで伸長されて前記右大腿固定部に固定され、
前記右内腿固定部と前記第２ベルトとは、その交差部において連結しており、
前記左内腿固定部と前記第３ベルトとは、その交差部において連結している
ことを特徴とする臀部保護ベルト。
【請求項２】
仙骨に対応する部分に設けられた緩衝材よりなる仙骨クッション部と、
腰仙椎移行部に対応する部分に設けられた緩衝材よりなる腰仙椎クッション部と、
右側臀部の下側に対応する部分に設けられた緩衝材よりなる右臀部クッション部と、
左側臀部の下側に対応する部分に設けられた緩衝材よりなる左臀部クッション部と
を備えたことを特徴とする請求項１記載の臀部保護ベルト。
【請求項３】
前記第２ベルトの一端部及び前記第３ベルトの一端部は、前記胴固定部に対して着脱可能に固定された
ことを特徴とする請求項１又は請求項２記載の臀部保護ベルト。
【請求項４】
前記第２ベルト及び前記第３ベルトは、伸縮性を有することを特徴とする請求項１から請求項３のいずれか１に記載の臀部保護ベルト。
【請求項５】
少なくとも臀部を覆う股付きの衣類本体と、
この衣類本体に対して配設され、胴回りに固定される胴固定部、右大腿回りに固定される右大腿固定部、左大腿回りに固定される左大腿固定部、第１ベルト、第２ベルト、及び、第３ベルトとを備え、
前記第１ベルトは、一端部が前記胴固定部に固定され、仙骨を覆う仙骨被覆部と、この仙骨被覆部の下側から伸長され、前記右大腿固定部の内側に固定される右内腿固定部と、前記仙骨被覆部の下側から伸長され、前記左大腿固定部の内側に固定される左内腿固定部とを有し、
前記第２ベルトは、一端部が右側臀部を包むように右側臀部の下側から脇を通り、前側腹部に伸長されて前記胴固定部に固定され、他端部が右側臀部から股下を通り、左大腿前側を通って、左大腿外側まで伸長されて前記左大腿固定部に固定され、
前記第３ベルトは、一端部が左側臀部を包むように左側臀部の下側から脇を通り、前側腹部に伸長されて前記胴固定部に固定され、他端部が左側臀部から股下を通り、右大腿前側を通って、右大腿外側まで伸長されて前記右大腿固定部に固定され、
前記右内腿固定部と前記第２ベルトとは、その交差部において連結しており、
前記左内腿固定部と前記第３ベルトとは、その交差部において連結している
ことを特徴とする臀部保護ベルト付き衣類。
【発明の詳細な説明】
【技術分野】
【０００１】
本発明は、腰臀部痛緩和を図ることができる臀部保護ベルト及び臀部保護ベルト付き衣類に関する。
【背景技術】
【０００２】
腰痛人口２８００万人とも言われる中、最近、インナーマッスルの低下に基づく骨盤輪不安定症の患者が増えている。杖や押し車などを利用して移動できるように改善が図られてはいるものの、転倒の危険性が高く、骨盤固定性を強化する臀部保護ベルトの開発が望まれている。
【０００３】
骨盤周囲の不安定性はリハビリテーション領域では、運動器不安定症の中の一例として捉えられてはいるが、病態生理の解明が完全にはできていない。そのため、従来のコルセットは、一般にサポーターとしての機能のみで、骨盤の不安定性に対しては効果が少ない。また、パンツの様にはくタイプのものもあるが、パンツのサイズでの適合に限局されているため効果の均一性に問題があった。更に、仙腸関節周囲は、加齢的変化によりクッションとなる筋肉が減るため、一部には人口筋肉を使用したものもあるが、一般的にはクッションを持ち歩くしか方法がなかった。加えて、固定性がある程度保たれても、歩行など片側に重心を架けかえていく動きを改善できるものはなかった。
【０００４】
更にまた、腰部のベルトについては従来より多種あるが（例えば、特許文献１参照）、腰部のみに効果的であり、尾側への矯正が少ないことから臀部痛には効果が少なく、改良が求められていた。解剖学的には、臀部痛は仙腸関節や腸腰靭帯の炎症によるものが多く、従来の腰下肢痛の原因と違うことが改善を求められている理由と考えられる。
【先行技術文献】
【特許文献】
【０００５】
【特許文献１】特開２０１３−５９２９号公報
【発明の概要】
【発明が解決しようとする課題】
【０００６】
本発明は、このような問題に基づきなされたものであり、骨盤安定性を向上させることができる臀部保護ベルト及び臀部保護ベルト付き衣類を提供することを目的とする。
【課題を解決するための手段】
【０００７】
本発明の臀部保護ベルトは、胴回りに固定される胴固定部と、右大腿回りに固定される右大腿固定部と、左大腿回りに固定される左大腿固定部と、第１ベルトと、第２ベルトと、第３ベルトを備え、第１ベルトは、一端部が胴固定部に固定され、仙骨を覆う仙骨被覆部と、この仙骨被覆部の下側から伸長され、右大腿固定部の内側に固定される右内腿固定部と、仙骨被覆部の下側から伸長され、左大腿固定部の内側に固定される左内腿固定部とを有し、第２ベルトは、一端部が右側臀部を包むように右側臀部の下側から脇を通り、前側腹部に伸長されて胴固定部に固定され、他端部が右側臀部から股下を通り、左大腿前側を通って、左大腿外側まで伸長されて左大腿固定部に固定され、第３ベルトは、一端部が左側臀部を包むように左側臀部の下側から脇を通り、前側腹部に伸長されて胴固定部に固定され、他端部が左側臀部から股下を通り、右大腿前側を通って、右大腿外側まで伸長されて右大腿固定部に固定され、右内腿固定部と第２ベルトとは、その交差部において連結しており、左内腿固定部と第３ベルトとは、その交差部において連結しているものである。
【０００８】
本発明の臀部保護ベルト付き衣類は、少なくとも臀部を覆う股付きの衣類本体と、この衣類本体に対して配設され、胴回りに固定される胴固定部、右大腿回りに固定される右大腿固定部、左大腿回りに固定される左大腿固定部、第１ベルト、第２ベルト、及び、第３ベルトとを備え、第１ベルトは、一端部が胴固定部に固定され、仙骨を覆う仙骨被覆部と、この仙骨被覆部の下側から伸長され、右大腿固定部の内側に固定される右内腿固定部と、仙骨被覆部の下側から伸長され、左大腿固定部の内側に固定される左内腿固定部とを有し、第２ベルトは、一端部が右側臀部を包むように右側臀部の下側から脇を通り、前側腹部に伸長されて胴固定部に固定され、他端部が右側臀部から股下を通り、左大腿前側を通って、左大腿外側まで伸長されて左大腿固定部に固定され、第３ベルトは、一端部が左側臀部を包むように左側臀部の下側から脇を通り、前側腹部に伸長されて胴固定部に固定され、他端部が左側臀部から股下を通り、右大腿前側を通って、右大腿外側まで伸長されて右大腿固定部に固定され  右内腿固定部と第２ベルトとは、その交差部において連結しており、左内腿固定部と第３ベルトとは、その交差部において連結しているものである。
【発明の効果】
【０００９】
本発明によれば、仙骨被覆部により仙骨を押さえるようにしたので、歩行開始時の仙骨固定性を高めることができる。また、第１ベルトにより、臀部から股下まで押さえるようにしたので、臀部を緊張させて、骨盤輪不安定性を予防することができると共に、仙骨の持つ２°程度のダンパー作用を補強することができ、骨盤安定性を向上させることができる。更に、第２ベルト及び第３ベルトにより臀部を包み込むように押さえるようにしたので、静止時の骨盤不安定性を改善することができる。
【００１０】
加えて、第２ベルト及び第３ベルトの他端部を一方の臀部から股下を通り他方の大腿外側に伸長しているので、他方の大腿部を前方へ投げ出すことで一方の臀部の第２ベルト又は第３ベルトが引っ張られ、残った脚の安定性を高めることができると共に、けり出し時の動作制限をもたらすことで遊脚相の安定性を向上させることができる。更にまた、右内腿固定部と第２ベルトとを連結し、左内腿固定部と第３ベルトとを連結しているので、第２ベルト又は第３ベルトのずり応力に右内腿固定部又は左内腿固定部が引っ張られることにより締め付けることができ、腸腰筋と同じように骨盤輪をより安定化させることができる。
【００１１】
また、仙骨に対応する部分に仙骨クッション部を設けると共に、腰仙椎移行部に対応する部分に腰仙椎クッション部を設けるようにすれば、仙骨及び腰仙椎移行部を適度に圧迫することができ、骨盤安定性をより高めることができる。更に、右側臀部の下側に対応する部分に右臀部クッション部を設けるようにすれば、又は、左側臀部の下側に対応する部分に左臀部クッション部を設けるようにすれば、臀部の筋肉減弱に伴うクッション性の低下を補助し、接地による疼痛を軽減することができる。
【００１２】
加えて、第２ベルトの一端部及び第３ベルトの一端部を胴固定部に対して着脱可能とするようにすれば、加齢体位の特徴に応じて仙腸関節部の角度に合わせて固定位置を調節することができる。よって、より高い効果を得ることができる。
【００１３】
更にまた、第２ベルト及び第３ベルトが伸縮性を有するようにすれば、大腿部の動きに合わせて第２ベルト及び第３ベルトをより効果的に引っ張ることができると共に、けり出し時の動作制限をより効果的に作用させることができる。
【図面の簡単な説明】
【００１４】
【図１】本発明の第１の実施の形態に係る臀部保護ベルトを前側から見た構成を表す図である。
【図２】図１に示した臀部保護ベルトを後側から見た構成を表す図である。
【図３】図１に示した臀部保護ベルトの構成を分解して表す図である。
【図４】図１に示した臀部保護ベルトを人体に取り付けた状態を前側から見た図である。
【図５】図１に示した臀部保護ベルトを人体に取り付けた状態を後側から見た図である。
【図６】図１に示した臀部保護ベルトの機能を説明するための図である。
【図７】本発明の第２の実施の形態に係る臀部保護ベルト付き衣類を前側から見た構成を表す図である。
【図８】図７に示した臀部保護ベルト付き衣類を後側から見た構成を表す図である。
【発明を実施するための形態】
【００１５】
以下、本発明の実施の形態について図面を参照して詳細に説明する。
【００１６】
（第１の実施の形態）
図１は、本発明の第１の実施の形態に係る臀部保護ベルト１を前側から見た構成を表すものであり、図２は後側から見た構成を表すものであり、図３は分解して表すものである。また、図４及び図５は、図１に示した臀部保護ベルト１を人体に取り付けた状態を表すものであり、図４は前側から見た構成、図５は後側から見た構成を表している。図６は、図１に示した臀部保護ベルト１の機能を説明するための図であり、股下から上方を見た構成を一部を取り出して表している。この臀部保護ベルト１は、例えば、胴回りに固定される胴固定部１０と、右大腿回りに固定される右大腿固定部２０と、左大腿回りに固定される左大腿固定部３０と、第１ベルト４０と、第２ベルト５０と、第３ベルト６０とを備えている。
【００１７】
胴固定部１０は、例えば、帯状であり、胴回りに巻き付けて固定することができるように構成されている。胴固定部１２の太さは、例えば、６ｃｍから１０ｃｍ程度である。胴固定部１０の両端部は、例えば、胴回りに巻きつけた時に重なり合うように構成され、両端部の対向面には、例えば、これらを重ね合わせた状態で着脱可能に固定することができる着脱固定部材が配設されていることが好ましい。体型に合わせて調節して容易に装着することができるからである。着脱固定部材としては、例えば、面状ファスナーやホックが挙げられる。なお、胴固定部１０は、ゴムなどの伸縮性を有する部材により環状に構成するようにしてもよい。
【００１８】
右大腿固定部２０及び左大腿固定部３０は、例えば、帯状であり、右大腿回り又は左大腿回りに巻き付けて固定することができるように構成されている。右大腿固定部２０及び左大腿固定部３０の太さは、例えば、６ｃｍから１０ｃｍ程度である。右大腿固定部２０及び左大腿固定部３０の両端部は、例えば、右大腿回り又は左大腿回りに巻きつけた時に重なり合うように構成され、両端部の対向面には、例えば、これらを重ね合わせた状態で着脱可能に固定することができる着脱固定部材が配設されていることが好ましい。体型に合わせて調節して容易に装着することができるからである。着脱固定部材としては、例えば、面状ファスナーやホックが挙げられる。なお、右大腿固定部２０及び左大腿固定部３０は、ゴムなどの伸縮性を有する部材により環状に構成するようにしてもよい。
【００１９】
第１ベルト４０は、例えば、一端部が前記胴固定部に固定され、仙骨を覆う仙骨被覆部４１と、この仙骨被覆部４１の下側から伸長され、右大腿固定部２０の内側に固定される右内腿固定部４２と、仙骨被覆部４１の下側から伸長され、左大腿固定部３０の内側に固定される左内腿固定部４３とを有している。
【００２０】
仙骨被覆部４１は、例えば、仙骨を押さえることにより、歩行開始時の仙骨固定性を高めるためのものである。仙骨被覆部４１は、例えば、仙骨から腰椎の少なくとも一部までを覆い、仙骨に対応して略逆三角形状に形成されている。仙骨被覆部４１には、例えば、仙骨に対応する部分に、緩衝材よりなる仙骨クッション部４４が設けられることが好ましく、腰仙椎移行部に対応する部分に、緩衝材よりなる腰仙椎クッション部４５が設けられることが好ましい。仙骨及び腰仙椎移行部を適度に圧迫することができ、骨盤安定性をより高めることができるからである。仙骨クッション部４４及び腰仙椎クッション部４５は、臀部側に突出するように設けられていることが好ましい。緩衝材としては、例えば、ウレタンが好ましく挙げられる。なお、仙骨クッション部４４及び腰仙椎クッション部４５は、個別に対応してそれぞれ設けるようにしてもよいが、合体して設けるようにしてもよい。また、腰仙椎クッション部４５は、胴固定部１０に対して配設してもよい。
【００２１】
右内腿固定部４２及び左内腿固定部４３は、例えば、仙骨被覆部４１の下側から股下を押さえることにより、臀部を緊張させて、骨盤輪不安定性を予防すると共に、仙骨の持つ２°程度のダンパー作用を補強し、骨盤安定性を向上させるためのものである。これらはある程度の伸縮性を有していてもよい。右内腿固定部４２及び左内腿固定部４３の太さは、例えば、仙骨被覆部４１の側が３ｃｍから４ｃｍ程度であることが好ましく、右大腿固定部２０又は左大腿固定部３０の側が６ｃｍから８ｃｍ程度であることが好ましい。第１ベルト４０は、固めの伸縮性を有していてもよい。体にしっかりと固定した方が骨盤安定性をより高めることができるからである。
【００２２】
第２ベルト５０は、例えば、一端部が右側臀部を包むように右側臀部の下側から脇を通り、前側腹部に伸長されて胴固定部１０に固定され、他端部が右側臀部から股下を通り、左大腿前側を通って、左大腿外側まで伸長されて左大腿固定部３０に固定されている。第３ベルト６０は、例えば、一端部が左側臀部を包むように左側臀部の下側から脇を通り、前側腹部に伸長されて胴固定部１０に固定され、他端部が左側臀部から股下を通り、右大腿前側を通って、右大腿外側まで伸長されて右大腿固定部２０に固定されている。第２ベルト５０及び第３ベルト６０の太さは、例えば、４ｃｍから８ｃｍ程度であることが好ましい。
【００２３】
第２ベルト５０及び第３ベルト６０は、例えば、臀部を包み込むように押さえることにより、静止時の骨盤不安定性を改善するためのものである。また、第２ベルト５０又は第３ベルト６０の他端部を一方の臀部から股下を通り他方の大腿外側に伸長することにより、他方の大腿部の動きに応じて第２ベルト５０又は第３ベルト６０が引っ張られ、一方の残った脚の安定性を高めると共に、けり出し時の動作を制限し、遊脚相の安定性を向上させるものである。
【００２４】
第２ベルト５０及び第３ベルト６０は、例えば、股下において、第１ベルト４０より人体側、すなわち、第１ベルト４０よりも股側に位置することが好ましい。第２ベルト５０及び第３ベルト６０を上から第１ベルト４０により締め付けることができるので、骨盤輪をより安定化させることができるからである。また、第２ベルト５０と第１ベルト４０の右内腿固定部４２とは、その交差部５１において、縫い合わされるなどにより連結していることが好ましい。第３ベルト６０と第１ベルト４０の左内腿固定部４３とは、その交差部６１において、縫い合わされるなどにより連結していることが好ましい。なお、交差部５１，６１は、図２、図３、図５及び図６において、網掛けを付して表している。交差部５１，６１が連結されることにより力点となり、脚の動きに連動して臀部下部を圧迫することができるからである。
【００２５】
図６を参照して、その作用について具体的に説明する。図６は、第２ベルト５０及び第１ベルト４０の右内腿固定部４２を取り出して股下から見た構成を表している。図６（Ａ）は両脚を揃えて立った状態、図６（Ｂ）は左脚を前に出した状態である。例えば、図６（Ａ）に示した立った状態から図６（Ｂ）に示したように左脚を前に出すと、第２ベルト５０の他端側が前側に引っ張られ、それにより、第２ベルト５０と右内腿固定部４２との連結された交差部５１が前側に引っ張られ、右内腿固定部４２は交差部５１を頂点として前側に引っ張られる。これにより、臀部から股下が締め付けられ、腸腰筋と同じように作用して骨盤輪を安定化させることができるようになっている。また、右脚を前に出した場合には、図示しないが、第３ベルト６０の他端側が前側に引っ張られ、それにより、第３ベルト６０と左内腿固定部４３との連結された交差部６１が前側に引っ張られ、左内腿固定部４３は交差部６１を頂点として前側に引っ張られる。これにより、図６（Ｂ）と同様に、臀部から股下が締め付けられ、腸腰筋と同じように作用して骨盤輪を安定化させることができるようになっている。なお、交差部５１，６１は、例えば、肛門からそれぞれ外側に３ｃｍ以内の範囲内に位置することが好ましい。
【００２６】
第２ベルト５０の一端部及び第６０の一端部は、例えば、胴固定部１０に対して着脱可能に固定されることが好ましい。加齢体位の特徴に応じて仙腸関節部の角度に合わせて固定位置を調節することができるからである。例えば、胴固定部１０の前側外周面、第２ベルト５０の一端部内側面、及び、第３ベルト６０の一端部内側面には、面状ファスナーなどの着脱固定部材が配設されていることが好ましい。また、第２ベルト５０の一端部外側面、及び、第３ベルト６０の一端部外側面にも、必要に応じて、面状ファスナーなどの着脱固定部材が配設されていることが好ましい。
【００２７】
第２ベルト５０の他端部は、例えば、左大腿固定部３０に対して着脱可能に固定されることが好ましく、左大腿外側前か左大腿外側後かを選択できるように構成されていることが好ましい。第３ベルト６０の他端部は、例えば、右大腿固定部２０に対して着脱可能に固定されることが好ましく、右大腿外側前か右大腿外側後かを選択できるように構成されていることが好ましい。腰部と臀部の傾きの違い及びＯ脚かＸ脚かに応じて、大腿外側前に固定するか大腿外側外に固定するかが異なるからである。例えば、左大腿固定部３０の外側外周面、右大腿固定部２０の外側外周面、第２ベルト５０の他端部内側面、及び、第３ベルト６０の他端部内側面には、面状ファスナーなどの着脱固定部材が配設されていることが好ましい。なお、右大腿固定部２０及び左大腿固定部３０は、大腿部の半分よりも上側に固定されることが好ましく、上から１／３の範囲内に固定されればより好ましい。
【００２８】
第２ベルト５０には、右側臀部の下側に対応する部分に、緩衝材よりなる右臀部クッション部５２が設けられていることが好ましく、第３ベルト６０には、左側臀部の下側に対応する部分に、緩衝材よりなる左臀部クッション部６２が設けられていることが好ましい。臀部の筋肉減弱に伴うクッション性の低下を補助し、接地による疼痛を軽減することができるからである。右臀部クッション部５２及び左臀部クッション部６２は、臀部側に突出するように設けられていることが好ましい。緩衝材としては、例えば、ウレタンが好ましく挙げられる。
【００２９】
また、第２ベルト５０及び第３ベルト６０は、伸縮性を有することが好ましい。大腿部の動きに合わせて第２ベルト５０及び第３ベルト６０をより効果的に引っ張ることができると共に、けり出し時の動作制限をより効果的に作用させることができるからである。そして右内腿固定部４２及び左内腿固定部４３の１．５倍程度の引っ張り強度があることが好ましい。
【００３０】
この臀部保護ベルト１は、例えば、次のようにして装着し用いられる。まず、例えば、第１ベルト４０の仙骨被覆部４１を仙骨に当て、胴固定部１０を胴回りに回し、両端部を腹部で重ね合わせ、着脱固定部材により固定する。次いで、例えば、右大腿固定部２０を右大腿回りに回し、両端部を重ね合わせ、着脱固定部材により固定すると共に、左大腿固定部３０を右大腿回りに回し、両端部を重ね合わせ、着脱固定部材により固定する。続いて、例えば、第２ベルト５０の他端側を股下から左大腿前側に回して、他端部を左大腿外側前又は左大腿外側後に固定する。また、例えば、第２ベルト５０の一端側を右側臀部の下側及び脇を通して前側腹部に伸ばし、一端部を着脱固定部材により胴固定部１０に固定する。次に、例えば、第３ベルト６０の他端側を股下から右大腿前側に回して、他端部を右大腿外側前又は右大腿外側後に固定する。また、例えば、第３ベルト６０の一端側を左側臀部の下側及び脇を通して前側腹部に伸ばし、一端部を着脱固定部材により胴固定部１０又は第２ベルト５０の一端部に固定する。
【００３１】
このように、本実施の形態によれば、仙骨被覆部４１により仙骨を押さえるようにしたので、歩行開始時の仙骨固定性を高めることができる。また、第１ベルト４０により、臀部から股下まで押さえるようにしたので、臀部を緊張させて、骨盤輪不安定性を予防することができると共に、仙骨の持つ２°程度のダンパー作用を補強することができ、骨盤安定性を向上させることができる。更に、第２ベルト５０及び第３ベルト６０により臀部を包み込むように押さえるようにしたので、静止時の骨盤不安定性を改善することができる。
【００３２】
加えて、第２ベルト５０及び第３ベルト６０の他端部を一方の臀部から股下を通り他方の大腿外側に伸長しているので、他方の大腿部を前方へ投げ出すことで一方の臀部の第２ベルト５０又は第３ベルト６０が引っ張られ、残った脚の安定性を高めることができると共に、けり出し時の動作制限をもたらすことで遊脚相の安定性を向上させることができる。更にまた、右内腿固定部４２と第２ベルト５０とを連結し、左内腿固定部４３と第３ベルト６０とを連結しているので、第２ベルト５０又は第３ベルト６０のずり応力に右内腿固定部４２又は左内腿固定部４３が引っ張られることにより締め付けることができ、腸腰筋と同じように骨盤輪をより安定化させることができる。
【００３３】
また、仙骨に対応する部分に仙骨クッション部４４を設けると共に、腰仙椎移行部に対応する部分に腰仙椎クッション部４５を設けるようにすれば、仙骨及び腰仙椎移行部を適度に圧迫することができ、骨盤安定性をより高めることができる。更に、右側臀部の下側に対応する部分に右臀部クッション部５２を設けるようにすれば、又は、左側臀部の下側に対応する部分に左臀部クッション部６２を設けるようにすれば、臀部の筋肉減弱に伴うクッション性の低下を補助し、接地による疼痛を軽減することができる。
【００３４】
加えて、第２ベルト５０の一端部及び第３ベルト６０の一端部を胴固定部１０に対して着脱可能とするようにすれば、加齢体位の特徴に応じて仙腸関節部の角度に合わせて固定位置を調節することができる。よって、より高い効果を得ることができる。
【００３５】
更にまた、第２ベルト５０及び第３ベルト６０が伸縮性を有するようにすれば、大腿部の動きに合わせて第２ベルト５０及び第３ベルト６０をより効果的に引っ張ることができると共に、けり出し時の動作制限をより効果的に作用させることができる。
【００３６】
（第２の実施の形態）
図７及び図８は、本発明の第２の実施の形態に係る臀部保護ベルト付き衣類２の構成を表すものである。この臀部保護ベルト付き衣類２は、少なくとも臀部を覆う股付きの衣類本体７０を備え、この衣類本体７０に第１の実施の形態で説明した臀部保護ベルト１、すなわち胴固定部１０、右大腿固定部２０、左大腿固定部３０、第１ベルト４０、第２ベルト５０、及び、第３ベルト６０が配設されたものである。よって、同一の構成要素には同一の符号を付し、その詳細な説明は省略する。
【００３７】
衣類本体７０は、例えば、伸縮性のある材料により構成されることが好ましい。胴固定部１０、右大腿固定部２０、及び、左大腿固定部３０は、例えば、衣類本体７０に対して取り付けられていなくてもよいが、少なくとも一部が衣類本体７０に対して取り付けられることにより固定されていてもよい。第１ベルト４０は、例えば、仙骨被覆部４１が衣類本体３０に対して取り付けられることにより固定されていることが好ましい。右内腿固定部４２及び左内腿固定部４３は、例えば、衣類本体７０には取り付けられていないことが好ましい。
【００３８】
第２ベルト５０は、例えば、右臀部クッション部５２が衣類本体７０に対して取り付けられることにより固定されている。また、第３ベルト６０は、例えば、左臀部クッション部６２が衣類本体７０に対して取り付けられることにより固定されている。第２ベルト５０及び第３ベルト６０の一端部及び他端部は、例えば、衣類本体７０には取り付けられておらず、衣類本体７０を穿いた後に、第１の実施の形態で説明したように固定するようになっている。
【００３９】
このように第２の実施の形態においても、第１の実施の形態と同様の効果を得ることができる。
【００４０】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えている必要はなく、また、他の構成要素を備えていてもよい。
【産業上の利用可能性】
【００４１】
骨盤安定性を向上させることができる臀部保護ベルト及び臀部保護ベルト付き衣類に適用することができる。
【符号の説明】
【００４２】
１…臀部保護ベルト、２…臀部保護ベルト付き衣類、１０…胴固定部、２０…右大腿固定部、３０…左大腿固定部、４０…第１ベルト、４１…仙骨被覆部、４２…右内腿固定部、４３…左内腿固定部、４４…仙骨クッション部、４５…腰仙椎クッション部、５０…第２ベルト、５１…交差部、５２…右臀部クッション部、６０…第３ベルト、６１…交差部、６２…左臀部クッション部、７０…衣類本体
【図１】
2015142672.tif 000003
【図２】
2015142672.tif 000004
【図３】
2015142672.tif 000005
【図４】
2015142672.tif 000006
【図５】
2015142672.tif 000007
【図６】
2015142672.tif 000008
【図７】
2015142672.tif 000009
【図８】
2015142672.tif 000010
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
胴回りに固定される胴固定部と、右大腿回りに固定される右大腿固定部と、左大腿回りに固定される左大腿固定部と、第１ベルトと、第２ベルトと、第３ベルトを備え、
前記第１ベルトは、一端部が前記胴固定部に固定され、仙骨を覆う仙骨被覆部と、この仙骨被覆部の下側から伸長され、前記右大腿固定部の内側に固定される右内腿固定部と、前記仙骨被覆部の下側から伸長され、前記左大腿固定部の内側に固定される左内腿固定部とを有し、
前記第２ベルトは、一端部が右側臀部を包むように右側臀部の下側から脇を通り、前側腹部に伸長されて前記胴固定部に固定され、他端部が右側臀部から股下を通り、左大腿前側を通って、左大腿外側まで伸長されて前記左大腿固定部に固定され、
前記第３ベルトは、一端部が左側臀部を包むように左側臀部の下側から脇を通り、前側腹部に伸長されて前記胴固定部に固定され、他端部が左側臀部から股下を通り、右大腿前側を通って、右大腿外側まで伸長されて前記右大腿固定部に固定され、
前記右内腿固定部と前記第２ベルトとは、その交差部において連結しており、
前記左内腿固定部と前記第３ベルトとは、その交差部において連結しており、
前記第２ベルト及び前記第３ベルトは、伸縮性を有する
ことを特徴とする臀部保護ベルト。
【請求項２】
仙骨に対応する部分に設けられた緩衝材よりなる仙骨クッション部と、
腰仙椎移行部に対応する部分に設けられた緩衝材よりなる腰仙椎クッション部と、
右側臀部の下側に対応する部分に設けられた緩衝材よりなる右臀部クッション部と、
左側臀部の下側に対応する部分に設けられた緩衝材よりなる左臀部クッション部と
を備えたことを特徴とする請求項１記載の臀部保護ベルト。
【請求項３】
前記第２ベルトの一端部及び前記第３ベルトの一端部は、前記胴固定部に対して着脱可能に固定された
ことを特徴とする請求項１又は請求項２記載の臀部保護ベルト。
【請求項４】
少なくとも臀部を覆う股付きの衣類本体と、
この衣類本体に対して配設され、胴回りに固定される胴固定部、右大腿回りに固定される右大腿固定部、左大腿回りに固定される左大腿固定部、第１ベルト、第２ベルト、及び、第３ベルトとを備え、
前記第１ベルトは、一端部が前記胴固定部に固定され、仙骨を覆う仙骨被覆部と、この仙骨被覆部の下側から伸長され、前記右大腿固定部の内側に固定される右内腿固定部と、前記仙骨被覆部の下側から伸長され、前記左大腿固定部の内側に固定される左内腿固定部とを有し、
前記第２ベルトは、一端部が右側臀部を包むように右側臀部の下側から脇を通り、前側腹部に伸長されて前記胴固定部に固定され、他端部が右側臀部から股下を通り、左大腿前側を通って、左大腿外側まで伸長されて前記左大腿固定部に固定され、
前記第３ベルトは、一端部が左側臀部を包むように左側臀部の下側から脇を通り、前側腹部に伸長されて前記胴固定部に固定され、他端部が左側臀部から股下を通り、右大腿前側を通って、右大腿外側まで伸長されて前記右大腿固定部に固定され、
前記右内腿固定部と前記第２ベルトとは、その交差部において連結しており、
前記左内腿固定部と前記第３ベルトとは、その交差部において連結しており、
前記第２ベルト及び前記第３ベルトは、伸縮性を有する
ことを特徴とする臀部保護ベルト付き衣類。
【請求項５】
仙骨に対応する部分に設けられた緩衝材よりなる仙骨クッション部と、
腰仙椎移行部に対応する部分に設けられた緩衝材よりなる腰仙椎クッション部と、
右側臀部の下側に対応する部分に設けられた緩衝材よりなる右臀部クッション部と、
左側臀部の下側に対応する部分に設けられた緩衝材よりなる左臀部クッション部と
を備えたことを特徴とする請求項４記載の臀部保護ベルト付き衣類。
【請求項６】
前記第２ベルトの一端部及び前記第３ベルトの一端部は、前記胴固定部に対して着脱可能に固定された
ことを特徴とする請求項４又は請求項５記載の臀部保護ベルト付き衣類。